(57)【特許請求の範囲】
【請求項１】
二次電池を含む電源装置と、前記電源装置が載置される架台と、を備えてなるバッテリユニットであって、
前記架台は、
前記電源装置が載置される載置部と、
前記載置部の下部に設けられる液溜り部と、
前記載置部の一部を除いて周囲に形成される側壁部と、
前記載置部のうち、前記側壁部が一部除かれて形成された搬送口側に設けられ、前記液溜り部と連通する溝部と、
を有する、バッテリユニット。
【請求項２】
請求項１に記載のバッテリユニットであって、
前記電源装置は、前記二次電池を含む電池搭載装置と、前記二次電池を制御する制御装置と、によって構成されている、バッテリユニット。
【請求項３】
請求項１または請求項２に記載のバッテリユニットであって、
前記液溜り部は、前記架台を上面視した場合に、前記載置部の全域を含む範囲に広がっている、バッテリユニット。
【請求項４】
請求項１ないし請求項３のいずれか一項に記載のバッテリユニットであって、
前記溝部の内部は、前記液溜り部の内部と連通している、バッテリユニット。
【請求項５】
請求項１ないし請求項４のいずれか一項に記載のバッテリユニットであって、
前記載置部には、前記電源装置を固定する固定部が形成されている、バッテリユニット。
【請求項６】
請求項１ないし５のいずれか一項に記載のバッテリユニットであって、
前記二次電池は、リチウムイオン二次電池である、バッテリユニット。
【請求項７】
請求項１ないし６のいずれか一項に記載のバッテリユニットであって、
前記電源装置は、無停電電源装置である、バッテリユニット。
【請求項８】
二次電池を含む電源装置が載置される架台であって、
前記電源装置が載置される載置部と、
前記載置部の下部に設けられる液溜り部と、
前記載置部の一部を除いて周囲に形成される側壁部と、
前記載置部のうち、前記側壁部が一部除かれて形成された搬送口側に設けられ、前記液溜り部と連通する溝部と、
を備える、架台。
【請求項９】
二次電池を含む電源装置と、前記電源装置が載置される架台と、を備えてなるバッテリユニットであって、
前記架台は、
前記電源装置が載置される載置部と、
前記載置部の下部に設けられる液溜り部と、
前記載置部の全周囲に亘って設けられ、前記液溜り部と連通する溝部と、
を有する、バッテリユニット。
【請求項１０】
二次電池を含む電源装置が載置される架台であって、
前記電源装置が載置される載置部と、
前記載置部の下部に設けられる液溜り部と、
前記載置部の全周囲に亘って設けられ、前記液溜り部と連通する溝部と、
を備える、架台。
【発明の詳細な説明】
【技術分野】
【０００１】
本発明は、二次電池を含む電源装置と、当該電源装置が載置される架台と、を備えてなるバッテリユニットにおいて、二次電池から洩れ液が、バッテリユニットが設置される床面に洩れ出ることを抑制する技術に関する。
【背景技術】
【０００２】
従来から、繰り返し使用可能な二次電池が用いられている。二次電池は、充電と放電を繰り返すことで何度も使用することができ、充電不能な電池に比べて環境に優しい。そのため、二次電池を含む電源装置は、現在その使用分野を広げている。
【０００３】
電源装置は、設置されている間に劣化等により容器に亀裂が生じ、二次電池に封入されているバッテリ液がしみ出す虞がある。従来から、二次電池からしみ出した洩れ液が電源装置を設置した床面を腐食及び汚染するのを防止するために、無停電電源装置が載置されるトレイを備え、当該トレイに無停電電源装置からの洩れ液を溜める液溜りを設ける技術が知られている。この技術によれば、無停電電源装置の底面をトレイの内部に収容して設置することで、二次電池からしみ出した洩れ液が無停電電源装置を設置した床面に洩れ出ることが抑制され、洩れ液により床面が腐食及び汚染されることが防止されるという。
【先行技術文献】
【特許文献】
【０００４】
【特許文献１】特開平７−２２６１９５号公報
【発明の概要】
【発明が解決しようとする課題】
【０００５】
しかし、電源装置の大型化により電源装置の質量が増大すると、電源装置をトレイに収容するのが難しく、電源装置の搬送の利便性に欠ける。特に、電源装置では、二次電池の劣化等を点検するために、定期的に設置場所から電源装置を移動させる必要があり、このような場合にトレイに収容された電源装置を持ち上げる必要があるとすると、電源装置の搬送の利便性に欠ける結果となる。
【０００６】
本発明は、電源装置と当該電源装置が載置される架台とを備えてなるバッテリユニットにおいて、電源装置の搬送の利便性を確保しつつ、二次電池からの洩れ液が床面に洩れ出ることを抑制する技術を提供することにある。
【課題を解決するための手段】
【０００７】
本発明は、二次電池を含む電源装置と、前記電源装置が載置される架台と、を備えてなるバッテリユニットであって、前記架台は、前記電源装置が載置される載置部と、前記載置部の下部に設けられる液溜り部と、前記載置部の一部を除いて周囲に形成される側壁部と、前記載置部のうち、前記側壁部が一部除かれて形成された搬送口側に設けられ、前記液溜り部に連通する溝部と、を有する。
【０００８】
このバッテリユニットの架台では、液溜り部が設けられるとともに、側壁部が一部除かれて形成された搬送口から当該洩れ液が洩れ出さないように、載置部の搬送口側に溝部が設けられている。この架台によれば、搬送口を設けることで、電源装置の搬送の利便性を確保しつつ、溝部を設けることで、当該搬送口から洩れ液が架台の外側に洩れ出ることを抑制することができる。つまり、このバッテリユニットによれば、電源装置の搬送の利便性を確保しつつ、二次電池からの洩れ液が床面に洩れ出ることを抑制することができる。
【０００９】
上記のバッテリユニットでは、前記電源装置は、前記二次電池を含む電池搭載装置と、前記二次電池を制御する制御装置と、によって構成されている構成としても良い。
【００１０】
このバッテリユニットでは、載置部の面積が電池搭載装置及び制御装置の両方を載置できるように形成されている。そのため、電池搭載装置用の架台と制御装置用の架台が別々に形成されたバッテリユニットに比べて、載置部の面積を拡大して形成することができ、これに伴って液溜り部の面積も拡大して形成することができる。従って、二次電池が含む一定の液量を溜める液溜り部の高さを低くすることができ、架台における載置部の高さを低く設けることができる。このバッテリユニットによれば、電源装置を架台に載置する際に、また、メンテナンス等で電源装置を架台から移動させる際に電源装置を移動させやすく、搬送の利便性を向上させることができる。
【００１１】
上記のバッテリユニットでは、前記液溜り部は、前記架台を上面視した場合に、前記載置部の全域を含む範囲に広がっている構成としても良い。このバッテリユニットによれば、架台の液溜り部の体積を比較的大きく確保することができ、二次電池からの洩れ液が架台の外側に洩れ出ることを抑制しやすい。
【００１２】
上記のバッテリユニットでは、前記溝部の内部は、前記液溜り部の内部と連通している構成としても良い。このバッテリユニットによれば、架台の溝部が当該溝部よりも大きい容量を有する液溜り部に連通していることで、溝部に溜った洩れ液が溢れ出てしまうことを抑制することができる。
【００１３】
上記のバッテリユニットでは、前記載置部には、前記電源装置を固定する固定部が形成されている構成としても良い。このバッテリユニットによれば、搬送口を有し、電源装置が着脱可能な架台の載置部に対して、固定部を用いて電源装置を固定することができる。
【００１４】
上記のバッテリユニットでは、前記二次電池は、リチウムイオン二次電池であっても良い。一般に、リチウムイオン二次電池は、従来の鉛蓄電池に比べて充放電制御が難しく、過放電及び過充電により洩れ液が生じやすい。このバッテリユニットによれば、二次電池にリチウムイオン二次電池を用い、何らかの原因で二次電池から洩れ液が生じた場合でも、二次電池からの洩れ液が架台の外側に洩れ出ることを抑制することができる。
【００１５】
上記のバッテリユニットでは、前記電源装置は、無停電電源装置であっても良い。このバッテリユニットによれば、無停電電源装置として用いられる電源装置の二次電池からの洩れ液が架台の外側に洩れ出ることを抑制することができる。
【００１６】
本発明は、上記のバッテリユニットを構成する架台にも具現化される。本発明の架台は、二次電池を含む電源装置が載置される架台であって、前記電源装置が載置される載置部と、前記載置部の下部に設けられる液溜り部と、前記載置部の一部を除いて周囲に形成される側壁部と、前記載置部のうち、前記側壁部が一部除かれて形成された搬送口側に設けられ、前記液溜り部に連通する溝部と、を備える
【００１７】
この架台では、側壁部が一部除かれて搬送口が形成されることで、電源装置の搬送の利便性が確保され、液溜り部とともに溝部が設けられることで、当該搬送口から洩れ液が架台の外側に洩れ出ることが抑制される。この架台によれば、電源装置の搬送の利便性を確保しつつ、二次電池からの洩れ液が床面に洩れ出ることを抑制することができる。
【００１８】
本発明は、下記のバッテリユニットにも具現化される。本発明は、二次電池を含む電源装置と、前記電源装置が載置される架台と、を備えてなるバッテリユニットであって、前記架台は、前記電源装置が載置される載置部と、前記載置部の下部に設けられる液溜り部と、前記載置部の全周囲に亘って設けられ、前記液溜り部に連通する溝部と、を有する。
【００１９】
このバッテリユニットの架台では、液溜り部が設けられるとともに、載置部の周囲から当該洩れ液が洩れ出さないように、載置部の全周囲に亘って溝部が設けられている。この架台によれば、幅狭に形成される溝部の上部を超えて電源装置が搬送されることで、電源装置の搬送の利便性が確保され、溝部を設けることで、洩れ液が載置部の周囲に洩れ出ることを抑制することができる。つまり、このバッテリユニットによれば、電源装置の搬送の利便性を確保しつつ、二次電池からの洩れ液が床面に洩れ出ることを抑制することができる。
【００２０】
本発明は、上記のバッテリユニットを構成する架台にも具現化される。本発明の架台は、二次電池を含む電源装置が載置される架台であって、前記電源装置が載置される載置部と、前記載置部の下部に設けられる液溜り部と、前記載置部の全周囲に亘って設けられ、前記液溜り部に連通する溝部と、を備える。
【００２１】
この架台では、載置部の全周囲に亘って比較的幅狭な溝部が形成されることで、電源装置の搬送の利便性が確保され、液溜り部とともに当該溝部が設けられることで、載置部の周囲から洩れ液が架台の外側に洩れ出ることが抑制される。この架台によれば、電源装置の搬送の利便性を確保しつつ、二次電池からの洩れ液が床面に洩れ出ることを抑制することができる。
【発明の効果】
【００２２】
本発明によれば、電源装置と当該電源装置が載置される架台とを備えてなるバッテリユニットにおいて、電源装置の搬送の利便性を確保しつつ、二次電池からの洩れ液が床面に洩れ出ることを抑制することができる。
【図面の簡単な説明】
【００２３】
【図１】バッテリユニットを示す図
【図２】実施形態１の架台を示す図
【図３】架台の断面図
【図４】架台及び引き出し台を示す図
【図５】実施形態２の架台を示す図
【発明を実施するための形態】
【００２４】
＜実施形態１＞
以下、本発明の実施形態１について、図１ないし図４を用いて説明する。
１．状態判定装置の構成
図１は、本実施形態におけるバッテリユニット１０を示す図である。バッテリユニット１０は、無停電電源装置２０と、無停電電源装置２０が載置される架台３０と、を含む。バッテリユニット１０は、床面等の設置場所に設置されて使用され、この際、架台３０が設置場所に固定され、この架台３０上の載置部３２に無停電電源装置２０が載置及び固定される。無停電電源装置２０の底面には、搬送用のキャスター２１が設けられている。
【００２５】
無停電電源装置２０は、停電等が発生した場合に、商用電源に代わって電力を供給する電源装置であり、電池搭載装置２２と制御装置２４とを含む。電池搭載装置２２は、リチウムイオン二次電池（以下、二次電池）２６を含み、通常時において商用電源から供給される電力を二次電池２６に充電し、停電時に二次電池２６から電力を外部装置に放電する。電池搭載装置２２では、従来の鉛蓄電池に代えてリチウムイオン二次電池等の高性能蓄電池を利用することで、バッテリユニット１０の省スペース化を図っている。
【００２６】
制御装置２４は、二次電池２６の充放電を制御する制御部２８を備える。リチウムイオン二次電池は、従来の鉛蓄電池に比べて充放電制御が難しく、過放電及び過充電により洩れ液が生じやすい。無停電電源装置２０では、制御部２８を用いて二次電池２６の充放電を制御し、洩れ液の発生を抑制している。しかし、無停電電源装置２０では、二次電池２６の劣化等により洩れ液が発生することがあり、制御部２８を用いても洩れ液の発生を完全に防止することができない。リチウムイオン二次電池からしみ出した液体は、消防法指定の危険物であることから、火災予防条例により所定量の液量を含むリチウムイオン二次電池を設置する場合には、洩れ液の拡散を防止するために、洩れ液を溜めておく液溜りを確保しておく必要がある。バッテリユニット１０では、液溜り部３４を備えた架台３０を用いることで、二次電池２６からしみ出した漏れ液が床面等に拡散することを抑制している。
【００２７】
（架台の構造）
図２に示すように、架台３０は略直方体形状をしており、その上面によって、無停電電源装置２０が載置される載置部３２が設けられ、その側面及び底面によって、二次電池２６からの漏れ液を溜める液溜り部３４が設けられている。つまり、液溜り部３４は、載置部３２の下部に設けられ、載置部３２の全域を含む範囲に広がっている。
【００２８】
図２に示すように、載置部３２の周囲には、一方の長辺とそれに隣接する両短辺に亘って側壁（側壁部の一例）３６が形成されており、側壁３６が形成されていない（つまり、側壁３６が一部除かれた）他方の長辺によって、無停電電源装置２０を載置部３２に搬送するための搬送口３８が形成されている。
【００２９】
載置部３２には、載置部３２の長辺と平行な方向に並んだ２つの孔４０が設けられている。孔４０は、長方形状をしており、その長辺が載置部３２の短辺と平行となるように配置されている。孔４０は、二次電池２６からしみ出して載置部３２に到達した漏れ液を、液溜り部３４へと移動させる通路の役割を果たす。載置部３２と液溜り部３４との間には、孔４０の全周に亘って支え壁４２が設けられている。架台３０では、支え壁４２が設けられていることで、支え壁４２が設けられない場合に比べて、載置部３２を強固に支えることができる。
【００３０】
支え壁４２には、所定間隔毎に孔４４が設けられている。架台３０では、支え壁４２に孔４４が設けられることで、液溜り部３４のうち、孔４０の下部に位置する第１部分Ｐ１と、その他の載置部３２の下部に位置する第２部分Ｐ２とを連通させることができ、第１部分Ｐ１と第２部分Ｐ２とで一体として漏れ液を溜めることができる。
【００３１】
孔４０には、両長辺に沿って側壁４６が形成されている。また、載置部３２の短辺と平行な方向において、載置部３２の孔４０と隣接する範囲には、載置部３２に搬送された無停電電源装置２０を固定するための固定孔（固定部の一例）４８が形成されている。
【００３２】
架台３０の搬送口３８が形成された側の側面には、溝部５０が形成されている。溝部５０は、架台３０の当該側面に亘って設けられており、二次電池２６からしみ出して載置部３２に到達した漏れ液が側壁３６のない搬送口３８から載置部３２の外部に漏れ出した場合に、その漏れ液を溜める役割を果たす。
【００３３】
溝部５０は、当該側面に垂直な方向における幅が約８ｍｍと幅狭に形成されている。そのため、架台３０では、載置部３２の搬送口３８側に溝部５０が設けられていても、搬送口３８を介して無停電電源装置２０を搬送する際に、溝部５０によって無停電電源装置２０の搬送が阻害されることがない。
【００３４】
図３に示すように、溝部５０は、その上面が開放されており、その側面及び下面が金属板等で囲われている。溝部５０の液溜り部３４側の側面には、孔５４が設けられている。架台３０では、液溜り部３４側の側面に孔５４が設けられることで、液溜り部３４の第１部分Ｐ１と第２部分Ｐ２、及び溝部５０の第３部分Ｐ３とをお互いに連通させることができ、液溜り部３４と溝部５０とで一体として二次電池２６からの漏れ液を溜めることができる。
【００３５】
さらに、溝部５０の外側に、無停電電源装置２０の搬送等に用いる接続部５２が設けられている。また、側壁３６が形成された側の架台３０の側面の少なくとも１つには、架台３０をボルト等で設置場所に固定するための固定部５６が設けられている。
【００３６】
２．無停電電源装置の搬送
図４に示すように、バッテリユニット１０では、架台３０の載置部３２に無停電電源装置２０を搬送して設置を行う際に、あるいはメンテナンス等で一端設置した無停電電源装置２０を載置部３２から搬送する際に、架台３０の近傍に引き出し台６０、７０を配置し、搬送作業を行う。
【００３７】
引き出し台６０は、架台３０の接続部５２側の側面に当接して配置される。引き出し台６０は、略直方体形状をしており、その高さが架台３０の高さと同一の高さに設定されている。引き出し台６０を上面視した場合に、架台３０と隣接する側の一辺と対向する他辺に、側壁６２が設けられている。
【００３８】
引き出し台７０は、引き出し台６０の架台３０と隣接せず、また側壁６２が形成されていない側の側面に当接して配置される。引き出し台７０は、引き出し台６０上に無停電電源装置２０を引き上げるためのスロープであり、その斜面の両脇には、スロープに沿って側壁７２が設けられている。
【００３９】
バッテリユニット１０では、架台３０の載置部３２に無停電電源装置２０を搬送する際に、無停電電源装置２０に設けられたキャスター２１と引き出し台７０とを用いて引き出し台６０上に無停電電源装置２０を引き上げ、引き出し台６０上において搬送方向を９０度転換し、搬送口３８を介して無停電電源装置２０を架台３０の載置部３２へと搬送する。無停電電源装置２０を引き出し台７０を用いて引き出し台６０上に一旦乗せてから、架台３０の載置部３２へと搬送することで、無停電電源装置２０を搬送する際の作業性を向上させることができる。
【００４０】
無停電電源装置２０は、電池搭載装置２２と制御装置２４を含んでおり、無停電電源装置２０を架台３０の載置部３２へと搬送する際、それぞれの装置２２、２４が載置部３２に設けられた２つの孔４０の上部に各々位置するように、無停電電源装置２０を搬送する。この際、孔４０に形成されている側壁４６に沿って無停電電源装置２０を移動させることで、精度良く無停電電源装置２０を位置決めすることができる。
【００４１】
３．本実施形態の効果
（１）本実施形態のバッテリユニット１０では、架台３０に二次電池２６からの洩れ液を溜める液溜り部３４が設けられるとともに、無停電電源装置２０の搬送口３８を設け、さらに、搬送口３８から当該洩れ液が洩れ出さないように、載置部３２の搬送口３８側に溝部５０が設けられている。この架台３０によれば、搬送口３８を設けることで、無停電電源装置２０の搬送の利便性を確保しつつ、溝部５０を設けることで、当該搬送口３８から洩れ液が架台３０の外側に洩れ出ることを抑制することができる。本実施形態のバッテリユニットによれば、無停電電源装置２０の搬送の利便性を確保しつつ、二次電池２６からの洩れ液が床面に洩れ出ることを抑制することができる。
【００４２】
（２）本実施形態のバッテリユニット１０では、載置部３２の面積が電池搭載装置２２及び制御装置２４の両方を載置できるように形成されている。そのため、電池搭載装置２２用の架台３０と制御装置２４用の架台３０が別々に形成されたバッテリユニットに比べて、載置部３２の面積を拡大して形成することができ、これに伴って液溜り部３４の面積も拡大して形成することができる。従って、二次電池２６が含む一定の液量を溜める液溜り部３４の高さを低くすることができ、架台３０における載置部３２の高さを低く設けることができる。このバッテリユニット１０によれば、無停電電源装置２０を架台３０に載置する際に、また、メンテナンス等で無停電電源装置２０を架台３０から移動させる際に、無停電電源装置２０を移動させやすく、搬送の利便性を向上させることができる。
【００４３】
（３）本実施形態のバッテリユニット１０では、架台３０は略直方体形状をしており、その上面によって載置部３２が設けられるとともに、その側面及び底面によって液溜り部３４が設けられる。つまり、架台３０では、上面視した場合に、載置部３２の全域を含む範囲に液溜り部３４が広がっている。本実施形態のバッテリユニット１０によれば、載置部３２よりも狭い範囲に液溜り部３４が形成される場合に比べて、架台３０の液溜り部３４の体積を比較的大きく確保することができ、二次電池２６からの洩れ液が架台３０の外側に洩れ出ることを効果的に抑制することができる。
【００４４】
＜実施形態２＞
本発明の実施形態２を、図５を用いて説明する。本実施形態では、バッテリユニット１０を構成する架台３０の構造が実施形態１のバッテリユニット１０と異なる。以下では、本実施形態の架台３０の構造について説明を行い、実施形態１と同一の内容については重複した記載を省略する。
【００４５】
１．架台の構造
図５に示すように、本実施形態の架台３０では、載置部３２の周囲に図２に示す側壁３６が形成されていない一方、その全周囲に亘って溝部５０が形成されている。そのため、二次電池２６からしみ出して載置部３２に到達した漏れ液が側壁３６のない載置部３２の周囲から載置部３２の外部に漏れ出した場合に、溝部５０を用いてその漏れ液を溜めることができる。
【００４６】
溝部５０は、載置部３２の全周囲に亘って幅狭に形成される。そのため、本実施形態では、無停電電源装置２０を載置部３２に搬送する際に、載置部３２のいずれの方向からでも無停電電源装置２０を載置部３２に搬送することができる。また、溝部５０は、実施形態１と同様に、液溜り部３４と連通しており、液溜り部３４と溝部５０とで一体として二次電池２６からの漏れ液を溜めることができる。
【００４７】
溝部５０の外側に、架台３０の全周囲に亘って接続部５２が設けられている。また、接続部５２の側面の少なくとも１つには、架台３０をボルト等で設置場所に固定するための固定部５６が設けられている。
【００４８】
２．本実施形態の効果
本実施形態のバッテリユニット１０では、架台３０に二次電池２６からの洩れ液を溜める液溜り部３４が設けられるとともに、載置部３２の周囲から当該洩れ液が洩れ出さないように、載置部３２の全周囲に亘って溝部５０が設けられている。この架台３０によれば、幅狭に形成される溝部５０の上部を超えて無停電電源装置２０が搬送されることで、無停電電源装置２０の搬送の利便性が確保され、溝部５０を設けることで、洩れ液が載置部３２の周囲に洩れ出ることを抑制することができる。本実施形態のバッテリユニットによれば、無停電電源装置２０の搬送の利便性を確保しつつ、二次電池２６からの洩れ液が床面に洩れ出ることを抑制することができる。
【００４９】
＜他の実施形態＞
本発明は上記記述及び図面によって説明した実施形態に限定されるものではなく、例えば次のような種々の態様も本発明の技術的範囲に含まれる。
（１）上記実施形態では、電源装置として無停電電源装置を用いて説明を行ったが、電源装置は商用電源からの電力供給時に使用されるものであっても構わない。
【００５０】
（２）上記実施形態では、電源装置に含まれる二次電池としてリチウムイオン二次電池を用いて説明を行ったが、他の蓄電池であっても構わない。
【００５１】
（３）上記実施形態では、電源装置が電池搭載装置と制御装置という２つの装置によって構成されている例を用いて説明を行ったが、例えば１つの装置で構成されていても良い。
【符号の説明】
【００５２】
１０：バッテリユニット、２０：無停電電源装置、２２：電池搭載装置、２４：制御装置、２６：二次電池、３０：架台、３２：載置部、３４：液溜り部、３６：側壁、３８：搬送口、５０：溝部、
【図１】
0005935277.tif 000002
【図２】
0005935277.tif 000003
【図３】
0005935277.tif 000004
【図４】
0005935277.tif 000005
【図５】
0005935277.tif 000006